【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】
撮像素子からの出力をアナログ−デジタル変換（Ａ／Ｄ変換）して撮像データを出力するＡ／Ｄ変換手段と、前記撮像データを輝度信号及び色差信号（ＹＣデータ）に変換するＹＣ信号処理手段と、を少なくとも含む複数の処理手段と、
前記各処理手段に共通に設けられたメモリ手段と、
前記各処理手段と前記メモリ手段との間のアクセスを制御する制御手段とを具備しており、
前記制御手段は、前記ＹＣ信号処理手段から出力されるＹＣデータを前記メモリ手段の撮像データの格納領域に重ねて格納することを特徴とする撮像装置。
【請求項２】
前記制御手段は、前記Ａ／Ｄ変換手段から出力されるｐ（＝８＋ｒ）ビットの撮像データを８ビットとｒビットとに分割し、複数の画素に対する撮像データを前記メモリ手段の１ワードに格納することを特徴とする請求項１に記載の撮像装置。
【請求項３】
前記制御手段は、前記ＹＣ信号処理手段から出力されるＹＣデータを、撮像データが格納されているワード数と等しいワード数でもって前記メモリ手段の撮像データの格納領域に重ねて格納することを特徴とする請求項１に記載の撮像装置。
【請求項４】
ＹＣデータを圧縮処理して圧縮符号を出力する圧縮手段を前記処理手段としてさらに含み、
前記制御手段は、前記圧縮手段から出力される圧縮符号をＹＣデータの先頭アドレス近傍からＹＣデータに重ねて格納することを特徴とする請求項１に記載の撮像装置。
【請求項５】
記録媒体に記録された圧縮符号を再生する再生手段と、前記再生した圧縮符号を伸長してＹＣデータを出力する伸長手段とを前記処理手段としてさらに含む、
請求項１に記載の撮像装置。
【請求項６】
前記制御手段は、前記伸長手段から出力されるＹＣデータを前記メモリ手段に書き込み、前記再生手段から出力される圧縮符号をＹＣデータの最後尾アドレス近傍の格納領域においてＹＣデータに重ねて格納することを特徴とする請求項５に記載の撮像装置。
【請求項７】
ＹＣデータに基づいて表示データを生成する表示生成手段を前記処理手段としてさらに含む、
請求項１に記載の撮像装置。
【請求項８】
前記制御手段は、前記表示生成手段から出力される表示データをＹＣデータの先頭アドレス近傍からＹＣデータに重ねて格納することを特徴とする請求項７に記載の撮像装置。
【請求項９】
前記ＹＣ処理手段は、
動画処理時には、前記Ａ／Ｄ変換手段で出力される撮像データを前記メモリ手段を介さずに入力してＹＣデータを生成する一方、
静止画処理時には、前記Ａ／Ｄ変換手段で出力される撮像データを前記メモリ手段から入力してＹＣデータを生成することを特徴とする請求項１に記載の撮像装置。
【請求項１０】
ＹＣデータを圧縮処理して圧縮符号を出力する圧縮手段を前記処理手段としてさらに含み、
内部バッファを備え、
前記制御手段は、前記圧縮手段で出力される圧縮符号を前記内部バッファを介して前記メモリ手段に書き込むよう制御可能であり、前記内部バッファが一杯になったか否かに応じて、前記圧縮手段と前記メモリ手段との間のアクセスを制御することを特徴とする請求項１に記載の撮像装置。
【請求項１１】
圧縮符号を伸長してＹＣデータを出力する伸長手段を前記処理手段としてさらに含み、
内部バッファを備え、
前記制御手段は、前記伸長手段で出力されるＹＣデータを前記内部バッファを介して前記メモリ手段に書き込むよう制御可能であり、前記内部バッファが一杯になったか否かに応じて、前記伸長手段と前記メモリ手段との間のアクセスを制御することを特徴とする請求項１に記載の撮像装置。
【手続補正２】
【補正対象書類名】明細書
【補正対象項目名】０００７
【補正方法】変更
【補正の内容】
【０００７】
【課題を解決するための手段】
本発明に係る撮像装置は、撮像素子からの出力をアナログ−デジタル変換（Ａ／Ｄ変換）して撮像データを出力するＡ／Ｄ変換手段と、前記撮像データを輝度信号及び色差信号（ＹＣデータ）に変換するＹＣ信号処理手段と、を少なくとも含む複数の処理手段と、前記各処理手段に共通に設けられたメモリ手段と、前記各処理手段と前記メモリ手段との間のアクセスを制御する制御手段とを具備しており、前記制御手段は、前記ＹＣ信号処理手段から出力されるＹＣデータを前記メモリ手段の撮像データの格納領域に重ねて格納する。この構成であれば、ＹＣデータを撮像データに重ねて書き込むことを行うので、必要なメモリ容量を従来の半分以下とすることが可能になる。
【手続補正３】
【補正対象書類名】明細書
【補正対象項目名】０００８
【補正方法】変更
【補正の内容】
【０００８】
【発明の実施の形態】
本発明の請求項１に係る撮像装置は、撮像素子からの出力をアナログ−デジタル変換（Ａ／Ｄ変換）して撮像データを出力するＡ／Ｄ変換手段と、前記撮像データを輝度信号及び色差信号（ＹＣデータ）に変換するＹＣ信号処理手段と、を少なくとも含む複数の処理手段と、前記各処理手段に共通に設けられたメモリ手段と、前記各処理手段と前記メモリ手段との間のアクセスを制御する制御手段とを具備しており、前記制御手段は、前記ＹＣ信号処理手段から出力されるＹＣデータを前記メモリ手段の撮像データの格納領域に重ねて格納する。
【手続補正４】
【補正対象書類名】明細書
【補正対象項目名】０００９
【補正方法】変更
【補正の内容】
【０００９】
本発明の請求項２に係る撮像装置は請求項１に記載したものであり、前記制御手段は、前記Ａ／Ｄ変換手段から出力されるｐ（＝８＋ｒ）ビットの撮像データを８ビットとｒビットとに分割し、複数の画素に対する撮像データを前記メモリ手段の１ワードに格納する。本発明の請求項３に係る撮像装置は請求項１に記載したものであり、前記制御手段は、前記ＹＣ信号処理手段から出力されるＹＣデータを、撮像データが格納されているワード数と等しいワード数でもって前記メモリ手段の撮像データの格納領域に重ねて格納する。本発明の請求項４に係る撮像装置は請求項１に記載したものであり、ＹＣデータを圧縮処理して圧縮符号を出力する圧縮手段を前記処理手段としてさらに含み、前記制御手段は、前記圧縮手段から出力される圧縮符号をＹＣデータの先頭アドレス近傍からＹＣデータに重ねて格納する。
【手続補正５】
【補正対象書類名】明細書
【補正対象項目名】００１０
【補正方法】変更
【補正の内容】
【００１０】
本発明の請求項５に係る撮像装置は請求項１に記載したものであり、記録媒体に記録された圧縮符号を再生する再生手段と、前記再生した圧縮符号を伸長してＹＣデータを出力する伸長手段とを前記処理手段としてさらに含む。
【手続補正６】
【補正対象書類名】明細書
【補正対象項目名】００１１
【補正方法】変更
【補正の内容】
【００１１】
本発明の請求項６に係る撮像装置は請求項５に記載したものであって、前記制御手段は、前記伸長手段から出力されるＹＣデータを前記メモリ手段に書き込み、前記再生手段から出力される圧縮符号をＹＣデータの最後尾アドレス近傍の格納領域においてＹＣデータに重ねて格納する。
【手続補正７】
【補正対象書類名】明細書
【補正対象項目名】００１２
【補正方法】変更
【補正の内容】
【００１２】
本発明の請求項７に係る撮像装置は請求項１に記載したものであり、ＹＣデータに基づいて表示データを生成する表示生成手段を前記処理手段としてさらに含む。
【手続補正８】
【補正対象書類名】明細書
【補正対象項目名】００１３
【補正方法】変更
【補正の内容】
【００１３】
本発明の請求項８に係る撮像装置は請求項７に記載したものであり、前記制御手段は、前記表示生成手段から出力される表示データをＹＣデータの先頭アドレス近傍からＹＣデータに重ねて格納する。
【手続補正９】
【補正対象書類名】明細書
【補正対象項目名】００１４
【補正方法】変更
【補正の内容】
【００１４】
本発明の請求項９に係る撮像装置は請求項１に記載したものであり、前記ＹＣ処理手段は、動画処理時には、前記Ａ／Ｄ変換手段で出力される撮像データを前記メモリ手段を介さずに入力してＹＣデータを生成する一方、静止画処理時には、前記Ａ／Ｄ変換手段で出力される撮像データを前記メモリ手段から入力してＹＣデータを生成する。
【手続補正１０】
【補正対象書類名】明細書
【補正対象項目名】００１５
【補正方法】変更
【補正の内容】
【００１５】
本発明の請求項１０に係る撮像装置は請求項１に記載したものであり、ＹＣデータを圧縮処理して圧縮符号を出力する圧縮手段を前記処理手段としてさらに含み、内部バッファを備え、前記制御手段は、前記圧縮手段で出力される圧縮符号を前記内部バッファを介して前記メモリ手段に書き込むよう制御可能であり、前記内部バッファが一杯になったか否かに応じて、前記圧縮手段と前記メモリ手段との間のアクセスを制御する。
【手続補正１１】
【補正対象書類名】明細書
【補正対象項目名】００１６
【補正方法】変更
【補正の内容】
【００１６】
本発明の請求項１１に係る撮像装置は請求項１に記載したものであり、圧縮符号を伸長してＹＣデータを出力する伸長手段を前記処理手段としてさらに含み、内部バッファを備え、前記制御手段は、前記伸長手段で出力されるＹＣデータを前記内部バッファを介して前記メモリ手段に書き込むよう制御可能であり、前記内部バッファが一杯になったか否かに応じて、前記伸長手段と前記メモリ手段との間のアクセスを制御する。